【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
装置本体と、
前記装置本体の側面に設置され、撮影レンズを有する撮像部と、
この撮像部を前記装置本体の前後方向に回動自在に支持する回動機構と、を具備し、
前記撮像部は、前記回動機構によって前記撮影レンズが前記装置本体の底面側に向けられた場合に、前記撮影レンズと前記装置本体の設置面との間に所定の間隙が形成されるとともに、前記撮影レンズの光軸位置が前記装置本体の厚み方向に対して当該厚み内に収まることを特徴とする撮像装置。
【請求項２】
前記撮像部をその長手方向に移動自在に支持し、前記回動機構によって形成される前記所定の間隙を広げる方向に前記撮像部の位置を調整可能な位置調整機構を具備したことを特徴とする請求項１記載の撮像装置。
【請求項３】
前記撮像部の回動位置を検出する検出手段と、
この検出手段によって検出される前記撮像部の回動位置に基づいて、前記撮影レンズが前記装置本体の底面側に向けられたことが検出されたときに、焦点調整を開始する制御手段を具備したことを特徴とする請求項１または２記載の撮像装置。
【請求項４】
前記撮像部の回動位置を検出する検出手段と、
この検出手段によって検出される前記撮像部の回動位置に基づいて、前記撮影レンズが前記装置本体の底面側に向けられたことが検出されたときに、所定の撮影条件を設定する設定手段を具備したことを特徴とする請求項１または２記載の撮像装置。
【請求項５】
前記撮影レンズから被写体までの距離と現在の倍率とに基づいて当該被写体の実寸寸法を算出する実寸寸法算出手段と、
前記撮像部を通じて得られる被写体の撮影画像をスルー画像として表示すると共に、前記実寸寸法算出手段によって算出された被写体の実寸寸法を示す目盛をそのスルー画像上に重ねて表示する表示手段と
を具備したことを特徴とする請求項１から４の何れかに記載の撮像装置。
【請求項６】
装置本体の前後方向に回動自在となるように前記装置本体の側面に設置され、撮影レンズが前記装置本体の底面側に向けられた場合に、前記撮影レンズと前記装置本体の設置面との間に所定の間隙が形成されるとともに、前記撮影レンズの光軸位置が前記装置本体の厚み方向に対して当該厚み内に収まるように構成された撮像部の回動位置を検出する検出ステップと、
前記検出ステップで前記撮像部が特定の位置になったと検出されたときに、被写体への焦点調整を開始するとともに、所定の撮影条件での撮影を開始する制御ステップと
を備えたことを特徴とする撮影処理方法。
【請求項７】
前記検出ステップで前記撮像部が前記特定の位置にあると検出されているときに、前記撮影レンズから被写体までの距離と現在の倍率とに基づいて当該被写体の実寸寸法を算出する算出ステップと、
前記撮像部を通じて得られる被写体の撮影画像をスルー画像として表示すると共に、前記算出ステップで算出された被写体の実寸寸法を示す目盛をそのスルー画像上に重ねて表示する表示ステップと
をさらに備えたことを特徴とする請求項６記載の撮影処理方法。
【請求項８】
コンピュータに、
装置本体の前後方向に回動自在となるように前記装置本体の側面に設置され、撮影レンズが前記装置本体の底面側に向けられた場合に、前記撮影レンズと前記装置本体の設置面との間に所定の間隙が形成されるとともに、前記撮影レンズの光軸位置が前記装置本体の厚み方向に対して当該厚み内に収まるように構成された撮像部の回動位置を検出させる検出機能と、
前記検出機能により前記撮像部が特定の位置になったと検出されたときに、被写体への焦点調整を開始させるとともに、所定の撮影条件での撮影を開始させる制御機能と
を実現させることを特徴とするプログラム。
【請求項９】
前記コンピュータに、
前記検出機能により前記撮像部が前記特定の位置にあると検出されているときに、前記撮影レンズから被写体までの距離と現在の倍率とに基づいて当該被写体の実寸寸法を算出させる算出機能と、
前記撮像部を通じて得られる被写体の撮影画像をスルー画像として表示させると共に、前記算出機能により算出された被写体の実寸寸法を示す目盛をそのスルー画像上に重ねて表示させる表示機能と
をさらに実現させることを特徴とする請求項８記載のプログラム。
【手続補正２】
【補正対象書類名】明細書
【補正対象項目名】０００７
【補正方法】変更
【補正の内容】
【０００７】
本発明の請求項１に係る撮像装置は、装置本体と、前記装置本体の側面に設置され、撮影レンズを有する撮像部と、この撮像部を前記装置本体の前後方向に回動自在に支持する回動機構と、を具備し、前記撮像部は、前記回動機構によって前記撮影レンズが前記装置本体の底面側に向けられた場合に、前記撮影レンズと前記装置本体の設置面との間に所定の間隙が形成されるとともに、前記撮影レンズの光軸位置が前記装置本体の厚み方向に対して当該厚み内に収まることを特徴とする。
【手続補正３】
【補正対象書類名】明細書
【補正対象項目名】０００９
【補正方法】変更
【補正の内容】
【０００９】
本発明の請求項２に係る撮像装置は、前記請求項１記載の撮像装置において、前記撮像部をその長手方向に移動自在に支持し、前記回動機構によって形成される前記所定の間隙を広げる方向に前記撮像部の位置を調整可能な位置調整機構を具備したことを特徴とする。
【手続補正４】
【補正対象書類名】明細書
【補正対象項目名】００１１
【補正方法】変更
【補正の内容】
【００１１】
また、本発明の請求項３は、前記請求項１または２記載の撮像装置において、前記撮像部の回動位置を検出する検出手段と、この検出手段によって検出される前記撮像部の回動位置に基づいて、前記撮影レンズが前記装置本体の底面側に向けられたことが検出されたときに、焦点調整を開始する制御手段を具備したことを特徴とする。
【手続補正５】
【補正対象書類名】明細書
【補正対象項目名】００１２
【補正方法】変更
【補正の内容】
【００１２】
このような構成によれば、撮像部を特定の位置に回動させて撮影レンズを下向きにした状態で、その撮影レンズの下に置いた被写体にピントを合わせて撮影することができる。
【手続補正６】
【補正対象書類名】明細書
【補正対象項目名】００１３
【補正方法】変更
【補正の内容】
【００１３】
また、本発明の請求項４は、前記請求項１または２記載の撮像装置において、前記撮像部の回動位置を検出する検出手段と、この検出手段によって検出される前記撮像部の回動位置に基づいて、前記撮影レンズが前記装置本体の底面側に向けられたことが検出されたときに、所定の撮影条件を設定する設定手段を具備したことを特徴とする。
【手続補正７】
【補正対象書類名】明細書
【補正対象項目名】００１４
【補正方法】変更
【補正の内容】
【００１４】
このような構成によれば、撮像部を特定の位置に回動させて撮影レンズを下向きにした状態で、その撮影レンズの下に置いた被写体を所定の撮影条件で撮影することができる。
【手続補正８】
【補正対象書類名】明細書
【補正対象項目名】００１５
【補正方法】変更
【補正の内容】
【００１５】
また、本発明の請求項５は、前記請求項１から４の何れかに記載の撮像装置において、前記撮影レンズから被写体までの距離と現在の倍率とに基づいて当該被写体の実寸寸法を算出する実寸寸法算出手段と、前記撮像部を通じて得られる被写体の撮影画像をスルー画像として表示すると共に、前記実寸寸法算出手段によって算出された被写体の実寸寸法を示す目盛をそのスルー画像上に重ねて表示する表示手段とを具備したことを特徴とする。
【手続補正９】
【補正対象書類名】明細書
【補正対象項目名】００１７
【補正方法】変更
【補正の内容】
【００１７】
本発明の請求項６に係る撮影処理方法は、装置本体の前後方向に回動自在となるように前記装置本体の側面に設置され、撮影レンズが前記装置本体の底面側に向けられた場合に、前記撮影レンズと前記装置本体の設置面との間に所定の間隙が形成されるとともに、前記撮影レンズの光軸位置が前記装置本体の厚み方向に対して当該厚み内に収まるように構成された撮像部の回動位置を検出する検出ステップと、前記検出ステップで前記撮像部が特定の位置になったと検出されたときに、被写体への焦点調整を開始するとともに、所定の撮影条件での撮影を開始する制御ステップとを備えたことを特徴とする。
【手続補正１０】
【補正対象書類名】明細書
【補正対象項目名】００１８
【補正方法】変更
【補正の内容】
【００１８】
このような撮影処理方法によれば、前記各ステップに従った処理を実行することにより、前記請求項３または４記載の発明と同様の作用効果が奏せられる。
【手続補正１１】
【補正対象書類名】明細書
【補正対象項目名】００１９
【補正方法】変更
【補正の内容】
【００１９】
また、本発明の請求項７は、前記請求項６記載の撮影処理方法において、前記検出ステップで前記撮像部が前記特定の位置にあると検出されているときに、前記撮影レンズから被写体までの距離と現在の倍率とに基づいて当該被写体の実寸寸法を算出する算出ステップと、前記撮像部を通じて得られる被写体の撮影画像をスルー画像として表示すると共に、前記算出ステップで算出された被写体の実寸寸法を示す目盛をそのスルー画像上に重ねて表示する表示ステップとをさらに備えたことを特徴とする。
【手続補正１２】
【補正対象書類名】明細書
【補正対象項目名】００２１
【補正方法】変更
【補正の内容】
【００２１】
本発明の請求項８に係るプログラムは、コンピュータに、装置本体の前後方向に回動自在となるように前記装置本体の側面に設置され、撮影レンズが前記装置本体の底面側に向けられた場合に、前記撮影レンズと前記装置本体の設置面との間に所定の間隙が形成されるとともに、前記撮影レンズの光軸位置が前記装置本体の厚み方向に対して当該厚み内に収まるように構成された撮像部の回動位置を検出させる検出機能と、前記検出機能により前記撮像部が特定の位置になったと検出されたときに、被写体への焦点調整を開始させるとともに、所定の撮影条件での撮影を開始させる制御機能とを実現させることを特徴とする。
【手続補正１３】
【補正対象書類名】明細書
【補正対象項目名】００２２
【補正方法】変更
【補正の内容】
【００２２】
したがって、コンピュータが前記各機能を実現するためのプログラムを実行することにより、前記請求項３または４記載の発明と同様の作用効果が奏せられる。
【手続補正１４】
【補正対象書類名】明細書
【補正対象項目名】００２３
【補正方法】変更
【補正の内容】
【００２３】
また、本発明の請求項９は、前記請求項８記載のプログラムにおいて、前記コンピュータに、前記検出機能により前記撮像部が前記特定の位置にあると検出されているときに、前記撮影レンズから被写体までの距離と現在の倍率とに基づいて当該被写体の実寸寸法を算出させる算出機能と、前記撮像部を通じて得られる被写体の撮影画像をスルー画像として表示させると共に、前記算出機能により算出された被写体の実寸寸法を示す目盛をそのスルー画像上に重ねて表示させる表示機能とをさらに実現させることを特徴とする。